(57)【要約】【課題】冷気供給用ブース装置が開示される。【解決手段】ラック（Ｒａｃｋ）単位で装置に冷気を供給する冷気供給用ブース装置は、直方体の枠を構成する第１フレーム、第１フレームによって固定され、直方体の面のうちの４面に配置されることにより冷気移動用通路を形成する複数の板、および複数の板が配置される４面を除いた残りの面である第１面および第２面のうち、第１面に対応して配置されて少なくとも１つのファン（ｆａｎ）を備える冷却板を備えてもよい。このとき、冷却板が備える少なくとも１つのファンを通じて冷気を冷気移動用通路に引き込んでもよく、第２面を通じて冷気を装置に供給してもよい。【選択図】図１
2015115068.tif 000002
【特許請求の範囲】
【請求項１】
少なくとも１つのファンを備える冷却板が配置された冷気引込部、
前記冷却板が備える少なくとも１つのファンを通じて引き込まれた冷気が移動する冷気移動用通路、および
前記冷気移動用通路を通じて移動した冷気を排出する冷気排出部
を備え、
装置を含むラック（Ｒａｃｋ）とは独立した構造物として前記ラックに取り付けられ、前記冷気排出部を通じて冷気を前記装置に供給することを特徴とする、冷気供給用ブース装置。
【請求項２】
前記冷気排出部の大きさは、前記ラックが取り付けられる側面の大きさに基づいて決定されることを特徴とする、請求項１に記載の冷気供給用ブース装置。
【請求項３】
サーバルームに供給される冷気は、前記冷気引込部、前記冷気移動用通路、および前記冷気排出部を通じて、前記サーバルームに位置しているラックのうち前記取り付けられているラックに集中的に供給されることを特徴とする、請求項１または請求項２に記載の冷気供給用ブース装置。
【請求項４】
底面に取り付けられる少なくとも１つのタイヤ
をさらに備えることを特徴とする、請求項１から３のいずれか一項に記載の冷気供給用ブース装置。
【発明の詳細な説明】
【技術分野】
【０００１】
本発明の実施形態は、冷気供給用ブース装置に関する。
【背景技術】
【０００２】
データセンタに備えられているサーバ、ネットワーク装置、エンタープライズ装置などは熱を発生させる。したがって、このような装置を管理するデータセンタは、熱を冷却させるための大規模な設備も管理している。
【０００３】
データセンタの熱を冷却させるためには冷たい空気をそれぞれの装置に供給しなければならず、このためには冷たい空気を生成する恒温器を利用するのが一般的である。
【０００４】
しかし、恒温器および恒温器と連携する設備の稼動によって消耗するエネルギーは、データセンタで使用される全体電力の約５０〜６０％に相当する。したがって、データセンタの冷却に投入されるエネルギーを節減するために、建物の外の冷たい空気をサーバルームに流入させて装置の熱を冷却させる方式が最近では導入されている。
【０００５】
このように、データセンタに備えられている装置を効率的に冷却することは極めて重要である。
【発明の概要】
【発明が解決しようとする課題】
【０００６】
冷気通路（ｃｏｌｄ  ａｉｓｌｅ）における冷気の分散を防ぎ、問題が発生したラック（ｒａｃｋ）単位で装置に冷気を直接流入できるように、ラックに取り付けて利用することができる冷気供給用ブースを提供する。
【０００７】
ファンを利用することにより、局部的に集中して発熱する部分に対する冷却性能を改善することができる冷気供給用ブースを提供する。
【０００８】
ファンの現在の稼動状態を確認することができ、ファンの制御基準値を制御することができる機能を利用することにより、ファンを効率的に制御することができる冷気供給用ブースを提供する。
【課題を解決するための手段】
【０００９】
ラック（Ｒａｃｋ）単位で装置に冷気を供給する直方体の枠を構成する第１フレーム、前記第１フレームによって固定され、前記直方体の面のうちの４面に配置されることによって冷気移動用通路を形成する複数の板、および前記複数の板が配置される４面を除いた残りの面である第１面および第２面のうち、第１面に対応して配置されて少なくとも１つのファン（ｆａｎ）を備える冷却板を備え、前記冷却板が備える少なくとも１つのファンを通じて前記冷気移動用通路に冷気を引き込み、前記第２面を通じて冷気を前記装置に供給する冷気供給用ブース装置が提供される。
【００１０】
一実施形態において、前記冷却板は、第２面を基準として第１面の上面方向に予め設定された角度だけ傾いて配置されることを特徴としてもよい。
【００１１】
他の一実施形態において、前記冷気供給用ブース装置は、前記第１面と垂直な面のうち少なくとも１つの面を、前記第１面と平行になるように横切るように構成される少なくとも１つの支持フレームをさらに備えてもよい。
【００１２】
さらに他の一実施形態において、前記冷気供給用ブース装置は、前記少なくとも１つのファンの動作を制御するための制御ユニットをさらに備えてもよい。
【００１３】
さらに他の一実施形態において、前記制御ユニットは、前記少なくとも１つのファンの現在の稼動状態に関する情報を表示するためのモジュール、および前記少なくとも１つのファンに関する制御基準値を変更するためのモジュールのうち少なくとも１つのモジュールを備えることを特徴としてもよい。
【００１４】
さらに他の一実施形態において、前記冷気供給用ブース装置は、前記第１フレームまたは前記第１フレームと接続する少なくとも１つの支持フレームと接続されて固定される少なくとも１つの温度センサをさらに備えてもよい。このとき、前記制御ユニットは、前記受信した出力信号に基づいて前記冷気移動用通路の温度に関する情報を表示するためのモジュール、および前記出力信号に基づいて前記少なくとも１つのファンを制御するためのモジュールのうち少なくとも１つのモジュールを備えることを特徴としてもよい。
【００１５】
さらに他の一実施形態において、前記冷気供給用ブース装置は、前記第１フレームにおいて前記直方体の正面を構成する枠のうち、垂直に構成された枠に配置される少なくとも１つの取っ手をさらに備えてもよい。
【００１６】
さらに他の一実施形態において、前記冷気供給用ブース装置は、前記第１フレームにおいて前記直方体の下面を構成する枠のうち少なくとも１つの枠、または前記第１フレームにおいて前記直方体の下面を構成する頂点のうち少なくとも１つの頂点に取り付けられる少なくとも１つのタイヤをさらに備えてもよい。
【発明の効果】
【００１７】
冷気がラック（ｒａｃｋ）単位で装置に直接流入するようにし、ラックに取り付けて利用することができる冷気供給用ブースを利用することにより、装置をさらに効率的に冷却させることができる。
【００１８】
ファンを利用することにより、局部的に集中して発熱する部分に対する冷却性能を改善することができる。
【００１９】
ファンの現在の稼動状態を確認することができ、ファンの制御基準値を制御することができる機能を利用することにより、ファンを効率的に制御することができる。
【図面の簡単な説明】
【００２０】
【図１】本発明の一実施形態に係る冷気供給用ブースの全体を示した図である。
【図２】本発明の一実施形態に係る冷気供給用ブースがラック単位で取り付けられた様子を示した図である。
【図３】本発明の他の実施形態に係る冷気供給用ブースの全体を示した図である。
【図４】本発明の他の実施形態に係る冷気供給用ブースがラック単位で取り付けられた様子を示した図である。
【発明を実施するための形態】
【００２１】
図１は、本発明の一実施形態に係る冷気供給用ブースの全体を示した図である。
【００２２】
冷気供給用ブース１００は、サーバ室などのように局部的にホットスポット（ｈｏｔ  ｓｐｏｔ）が発生する部分の装置に冷気を集中的に供給するための可動式集中型クーリング（ｃｏｏｌｉｎｇ）装置としてもよい。
【００２３】
このような冷気供給用ブース１００は、直方体の枠を構成する第１フレーム１１０、および第１フレーム１１０によって固定され、直方体の面のうち４面に配置されることにより、冷気移動用通路を構成する複数の板を備えてもよい。図１の実施形態では、複数の板が正面板１２１、右側面板１２２、左側面板１２３、および上面板１２４を備える実施例を示している。一例として、第１フレーム１１０はアルミニウム材質であってもよく、複数の板はレキサン（Ｌｅｘａｎ）材質であってもよい。
【００２４】
このとき、複数の板が配置される４面を除いた残りの面である第１面と第２面のうち、第１面を通じて冷気を冷気移動用通路に引き込んでもよく、第２面を通じて冷却が必要な装置に冷気を供給してもよい。このとき、冷気供給用ブース１００には、少なくとも１つのファン（ｆａｎ）を備える冷却板が第１面に対応して配置されてもよい。図１の実施形態では、第１面に対応して冷却板である下面板１２５が配置され、第２面が直方体の背面である実施例を示している。図１の実施形態において、下面板１２５は４つのファン１３０を備えている。このような４つのファン１３０は、第１面から冷気移動用通路に引き込まれる冷気をよりスムーズに引き込むようにサポートするための手段であってもよい。また、第２面の広さは、サーバ室で装置が配置されるラック（Ｒａｃｋ）単位の大きさに応じて決められてもよい。例えば、冷気供給用ブース１００において、第２面がラックに向かうように取り付けることで、ラック単位で冷気通路（ｃｏｌｄ  ａｉｓｌｅ）における冷気が分散せずに装置に直接流入するようにしてもよい。
【００２５】
以後で説明する構成は、冷気供給用ブース１００に、必要に応じて選択的に備えられてもよい。
【００２６】
冷気供給用ブース１００は、第１面と垂直な面のうち少なくとも１つの面を第１面と平行になるように横切るように構成される少なくとも１つの支持フレームをさらに含んでもよい。図１の実施形態では、複数の支持フレーム１４０が示されている。このような複数の支持フレーム１４０それぞれは、両終端が第１フレーム１１０に固定され、一側面が第１面と垂直な面のうち１つの面に対応する板（一例として、正面板１２１）に固定されてもよい。
【００２７】
冷気供給用ブース１００は、少なくとも１つの温度センサをさらに備えてもよい。このような少なくとも１つの温度センサは、第１フレーム１１０または少なくとも１つの支持フレームに取り付けられて固定されてもよい。図１の実施形態では、複数の支持フレーム１４０のうち、右側面板１２２と左側面板１２３の上端に固定された支持フレームにそれぞれ２つの温度センサ１５０が取り付けられている例が示されている。
【００２８】
また、冷気供給用ブース１００は、少なくとも１つの温度センサと接続する制御ユニット１６０をさらに備えてもよい。制御ユニット１６０は、少なくとも１つの温度センサの出力信号を受信してもよい。このとき、制御ユニット１６０は、受信した出力信号に基づいて冷気供給用ブース１１０の内部（冷気移動用通路）温度に関する情報を表示する機能（モジュール）、および受信した出力信号に基づいて複数のファンを制御する機能のうち少なくとも１つの機能を備えてもよい。また、制御ユニット１６０は、複数のファンの稼動状態に関する情報を表示したり、複数のファンに関する制御基準値などを変更したりするための機能を備えてもよい。
【００２９】
このとき、制御ユニット１６０は、複数のファンを制御するためにファンと接続してもよい。ここで、制御ユニット１６０が少なくとも１つの温度センサまたは複数のファンと接続するということは、少なくとも１つの温度センサから出力信号を受信したり、複数のファンに制御信号を送信したりするための有線または無線接続を意味してもよい。例えば、図１の実施形態には、制御ユニット１６０が正面板１２１に固定されている様子が示されている。このとき、制御ユニット１６０は、電線を通じて少なくとも１つの温度センサまたは複数のファンと接続してもよく、または無線通信を通じて少なくとも１つの温度センサまたは複数のファンと接続してもよい。
【００３０】
また、冷気供給用ブース１００は、少なくとも１つの取っ手をさらに備えてもよい。このような少なくとも１つの取っ手は、直方体の正面を構成する枠のうち、下面と垂直に構成された枠に配置されてもよい。このような少なくとも１つの取っ手は、冷気供給用ブース１００を移動させる利便性を高めるために利用されてもよい。図１の実施形態では、２つの取っ手１７０が冷気供給用ブース１００の正面の両端に取り付けられている例を示している。
【００３１】
また、冷気供給用ブース１００は、第１フレーム１１０を構成する枠のうち第１面（下面）を構成する枠の少なくとも１つ、または第１フレーム１１０を構成する頂点のうち第１面を構成する頂点に固定される少なくとも１つのタイヤをさらに備えてもよい。図１の実施形態では、冷気供給用ブース１００の第１面に４つのタイヤ１８０が取り付けられている。このとき、図１には、１つのタイヤの表示を省略して３つのタイヤ１８０だけが示されているが、第１面の残りの頂点位置にもタイヤが取り付けられているものと仮定する。このようなタイヤも、冷気供給用ブース１００を移動させる利便性を高めるために選択的に冷気供給用ブース１００に取り付けられてもよい。また、タイヤは、ボールタイヤ形態やローラの形態などのように多様な形態で実現されてもよい。
【００３２】
図２は、本発明の一実施形態に係る冷気供給用ブースがラック単位で取り付けられている様子を示した図である。図２は、ラック単位に区分されている装置を示しており、複数のラックのうち１つのラック２００に冷気供給用ブース１００が取り付けられている様子を示している。一例として、冷気は、ラック単位に区分されている装置の正面の底面から供給されてもよい。このとき、冷気供給用ブース１００が取り付けられていない他のラックにおいては冷気は集まらずに分散されるが、冷気供給用ブース１００が取り付けられているラック２００においては、冷気供給用ブース１００が形成する冷気供給用通路を通じて冷気が集まる。
【００３３】
図３は、本発明の他の実施形態に係る冷気供給用ブースの全体を示した図である。図３の冷気供給用ブース３００は、図１を参照しながら説明した冷気供給用ブース１００と同じ構成であってもよい。このとき、図３では、温度センサと制御ユニットの表示が省略されているが、温度センサ、制御ユニット、支持フレーム、取っ手、タイヤなどの構成要素は、必要によって選択的に本発明の実施形態に係る冷気供給用ブースに取り付けられてもよいことは上述したとおりである。
【００３４】
冷気供給用ブース３００は、冷気供給用ブース１００とは異なり、第１面に対して予め設定された角度に傾いている下面板１２５を備えている。例えば、図３の実施形態では、下面板１２５が冷気供給用ブース３００の背面を基準として第１面の上面方向に１５度の角度に傾いた例を示している。このような下面板１２５の傾きは、下面板１２５に備えられたファンによって引き込まれた冷気を、さらに効率的にラックの装置に供給できるようにするために利用されてもよい。
【００３５】
このとき、冷気供給用ブース３００の下面板１２５を傾けるために多様な方法によって冷気供給用ブース３００に固定されうる。例えば、下面板１２５を構成する４つの枠のうち、正面板１２１と向かい合う枠が正面板１２１または正面板１２１の方向に延びる第１フレーム１１０に固定されることにより、下面板１２５が冷気供給用ブース３００に固定されてもよい。他の例として、下面板１２５を構成する４つの枠のうち、冷気供給用ブース３００の背面と向かい合う枠が第１フレーム１１０に固定されることにより、下面板１２５が冷気供給用ブース３００に固定されてもよい。さらに他の例として、下面板１２５の４つの枠のうち、正面板１２１と向かい合う枠には、下面板１２５に対して一定の傾斜を有する固定板（図示せず）が形成されてもよい。この場合、固定板が正面板１２１または第１フレーム１１０に固定されることにより、下面板１２５が冷気供給用ブース３００に固定されてもよい。
【００３６】
図４は、本発明の他の実施形態に係る冷気供給用ブースがラック単位で取り付けられている様子を示した図である。図４は、図２で説明した１つのラック２００に、図３で説明した冷気供給用ブース３００が取り付けられている様子を示している。このとき、冷気供給用ブース３００のファンから冷気供給用通路に引き込まれる冷気を、さらに効率的にラックの装置に供給できることが分かる。
【００３７】
このように、本発明の実施形態によると、冷気がラック（ｒａｃｋ）単位で装置に直接流入するようにラックに取り付けて利用される冷気供給用ブースにより、装置をさらに効率的に冷却させることができる。さらに、ファンを利用して局部的に集中して発熱する部分に対する冷却性能を改善することができる上に、ファンの現在の稼動状態を確認することができ、ファンの制御基準値を制御することができる機能を利用することにより、ファンを効率的に制御することができる。
【００３８】
以上、限定された実施形態と図面によって説明されたが、該当の技術分野において通常の知識を有する者であれば、上述した記載から多様な修正および変形が可能である。したがって、他の実現、他の実施形態および特許請求の範囲と均等なものも、後述する特許請求の範囲に属する。
【符号の説明】
【００３９】
１００：冷気供給用ブース
１１０：第１フレーム
１２１：正面板
１２２：右側面板
１２３：左側面板
１２４：上面板
１２５：下面板
１３０：４つのファン
１４０：複数の支持フレーム
１５０：２つの温度センサ
１６０：制御ユニット
１７０：２つの取っ手
【図１】
2015115068.tif 000003
【図２】
2015115068.tif 000004
【図３】
2015115068.tif 000005
【図４】
2015115068.tif 000006